(57)【要約】【課題】受取人の返送に要する手間を軽減できると共に、製造コストを低く抑えることのできる返信用封筒付き帳票を提供する。【解決手段】表裏一対の第一矩形状紙片１Ａと第二矩形状紙片２Ａとが、該第一矩形状紙片１Ａの接合代１０に設けられた接着剤層１２と該第二矩形状紙片２Ａの剥離層との剥離可能な接着によって貼り合わされてなり、前記第二矩形状紙片２Ａが除去された第一矩形状紙片１Ａを、その秘匿紙面１ｂを封緘するように折り畳むことによって返信用封筒が形成されるようにした。かかる構成によれば、受取人が返信用封筒を容易に形成できるため、返送される割合の向上が期待できる。【選択図】図３
2015136900.tif 000002
【特許請求の範囲】
【請求項１】
表裏一対の第一矩形状紙片および第二矩形状紙片が貼り合わされてなるものであって、
第一矩形状紙片は、その裏面に所定の秘匿情報が記載される秘匿紙面を備えると共に、一側縁に平行な一又は複数の折り線と、該一側縁と該一側縁に直交する両側縁とに夫々接合代を介して形成された切断線と、秘匿紙面の接合代に設けられた接着剤層とを備え、
第二矩形状紙片は、前記第一矩形状紙片の接合代と対向する部位に、該接合代の接着剤層と剥離可能に接着される剥離層を備え、
前記第二矩形状紙片が除去された第一矩形状紙片を、その秘匿紙面を封緘するように折り畳むことによって、返信用封筒が形成されるものであることを特徴とする返信用封筒付き帳票。  
【請求項２】
第二矩形状紙片は、剥離層が設けられた各側縁に夫々沿うように、切断線が形成されているものであることを特徴とする請求項１に記載の返信用封筒付き帳票。
【請求項３】
第一矩形状紙片および第二矩形状紙片が、ノーカーボン紙であることを特徴とする請求項１に記載の返信用封筒付き帳票。
【請求項４】
第一矩形状紙片の秘匿紙面の、接合代を除く領域と、第二矩形状紙片の剥離層を除く領域との少なくとも一方に、剥離可能な接着剤が塗布されていることを特徴とする請求項１乃至請求項３のいずれか１項に記載の返信用封筒付き帳票。
【請求項５】
第一矩形状紙片は、表面または裏面の少なくとも一方に、返信用封筒の状態で秘匿情報を透視不能とする隠蔽層が形成されているものであることを特徴とする請求項１乃至請求項４のいずれか１項に記載の返信用封筒付き帳票。
【請求項６】
表裏一対の第一矩形状紙片および第二矩形状紙片が貼り合わされてなるものであって、
第一矩形状紙片は、その裏面の全域に設けられた接着剤層と、一側縁に平行な一又は複数の折り線と、該一側縁と該一側縁に直交する両側縁とに夫々接合代を介して形成された切断線とを備え、
第二矩形状紙片は、その裏面に所定の秘匿情報が記載される秘匿紙面を備えると共に、前記第一矩形状紙片の折り線と対向するように形成された一又は複数の折り線と、前記接合代と対向する被接合代を介して形成された切断線と、被接合代の表面に形成され、該接合代の接着剤層と剥離可能に接着される剥離層とを備え、
前記被接合代が除去された第二矩形状紙片と第一矩形状紙片とを、該第二矩形状紙片の秘匿紙面を封緘するように折り畳むことによって、返信用封筒が形成されるものであることを特徴とする返信用封筒付き帳票。
【発明の詳細な説明】
【技術分野】
【０００１】
本発明は、必要事項の記入後に返送するための返信用封筒を備えた返信用封筒付き帳票に関する。
【背景技術】
【０００２】
従来、消費者が興味を抱いている物やマーケットの動向を調査するためのアンケート、企業から提供されるサービスを利用するための入会申し込み書、商品購入申し込み書等が街頭で配布されたり、ダイレクトメールとして多数の受取人に送付されたりしている。そして、前記のアンケート、入会申し込み書、商品購入申し込み書等の用紙と共に、これらの返送に用いる返信用封筒も受取人に提供される。そのため、実際には、アンケート等の用紙、返信用封筒、宣伝用のチラシ等が夫々別々に用意されて、これら書類束が同封され、街頭で配布されたり、ダイレクトメールで送付される。これを受け取った受取人は、アンケート等の用紙に必要事項を記入した後に、該用紙を返信用封筒に封緘して返送することが求められている。
【０００３】
ここで、受取人には、上記返送のために以下の手順が必要となる。
手順１：受け取った書類束から必要事項を記入する用紙と、返信用封筒と、これら以外の宣伝用のチラシ等とを選別する。
手順２：アンケート等の記入欄を設けた用紙に、必要事項を記入する。
手順３：必要事項を記入した用紙を、返信用封筒内へ入れる。
手順４：返信用封筒を封緘する。
手順５：封緘した返信用封筒を、ポスト等へ投函して返送する。
【０００４】
このように受取人には返送のために煩雑な作業が求められることから、該作業を面倒だと思い、せいぜいチラシ等の情報に目を通すだけで返送しなかったり、チラシ等を見ることなく破棄してしまう場合が多くなる傾向にあった。すなわち、返送するか否かは、受取人の考え次第である。
【０００５】
一方、上記したアンケート等の用紙や返信用封筒を提供する者（以下、提供者という）には、これらの製造（準備）の効率化やコスト低減等が求められている。しかし、上述した書類束を同封する構成にあっては、該書類束に含まれる複数の用紙に所望の印刷を夫々行うこと、これら複数の用紙の管理、これら複数の用紙を同封する作業などが必要であり、製造（準備）する工程が煩雑化していた。
【０００６】
尚ここで、上記の同封作業には、封入封緘機を用いることができるものの、該封入封緘機には、前記用紙や返信用封筒をセットする二つのポケットが少なくとも必要であり、チラシ等を同封する場合にはさらに多くのポケットが必要となる。そのため、封入封緘作動を複数回に分けて実行するか、複数のポケットを有する封入封緘機を必要とするという問題があった。さらに、こうした問題点の解決は、上述したようにコスト低減等の作用効果を期待できるものの、受取人に直接的な影響を及ぼすものではない。そのため、返送される割合を高くすることには、ほとんど寄与できない。そのため、返送数の絶対値を多くするために相当数を製造（準備）すれば、その製造コストや配布コストが増大するという問題も生ずる。
【０００７】
上述した受取人側の問題点や提供者側の問題点に対して、例えば、特許文献１，２の構成が提案されている。特許文献１の構成は、１枚の紙シートを折りたたみ封緘した広告印刷物からなり、該広告印刷物中に、返信用の封筒とアンケート等の記入用の折りたたみ片とを設けたものである。この広告印刷物を受け取った受取人は、これを開封して、アンケートの回答や注文などを前記折りたたみ片に記入した後、該折りたたみ片を切り離して、返信用の封筒内に入れて封緘し、返送することができる。かかる構成によれば、広告印刷物を構成する折りたたみ片にアンケート回答などの必要事項を記入して返送すれば良いことから、上述したように複数の書類束のなかから所定の用紙を探す手間が省けるという作用効果を奏する。また、広告印刷物を構成する１枚の紙シートに印刷を行うだけで準備（製造）できることから、製造に要するコストを低減することが可能である。
【０００８】
また、特許文献２には、往信部と返信部を折り畳み可能に形成し、前記往信部と返信部の一部に接着手段を設けたメール用シール片と、前記メール用シール片の前記返信部に固着する帳票とから構成されるメール用帳票が提案されている。かかる構成は、メール用シート片に固着された帳票に必要事項を記入した後、封緘して返送すれば良い。そのため、上述した特許文献１と同様に、受取人が必要事項を記入する用紙を探す手間が省けると共に、メール用シート片と帳票との印刷を要するだけで良いことから、印刷に要するコストを低減可能である。
【先行技術文献】
【特許文献】
【０００９】
【特許文献１】特開平５−１３９４４９号公報
【特許文献２】特開平５−１１２３６３号公報
【発明の概要】
【発明が解決しようとする課題】
【００１０】
ところで、上記した特許文献１の従来構成では、受取人が返信用封筒と折りたたみ片とを切り離して、該折りたたみ片を返信用封筒内に入れて返送しなければならない。そのため、上述した受取人の手順２〜５は必須である。さらに、返信用封筒は、その上下両側縁を水糊で貼着されてなるものであることから、その内部に折りたたみ片をそのまま封入するために必要な上下方向長さが足りない。そのため、折りたたみ片を封入するためには、該折りたたみ片を折り畳む必要があり、かかる構成では、「必要事項を記入した用紙（折りたたみ片）を、返信用封筒内に収めるために折り畳む」という新たな手間を要する。こうした余計な手間は、受取人の返信するという意欲を大きく減退させる虞がある。
【００１１】
また、上記した特許文献２の従来構成では、必要事項を記入する帳票がつづら折り状に形成されてメール用シート片に固着されていることから、該帳票を内部にうまく収めるように封緘することが必要である。仮に、帳票のつづら折りがずれてしまえば、うまく封緘できず、余計な手間がかかるという問題が生じてしまう。すなわち、受取人には、帳票のつづら折りがずれないように、慎重に封緘することが求められる。こうした手間のかかる作業は、受取人の返信意欲を減退させる虞がある。また、かかる構成の製造には、帳票をつづら折り状に形成してメール帳票に固着する工程が必要であり、該工程による製造コストの増加という問題が生じ得る。
【００１２】
本発明は、受取人の返送に要する手間を軽減できると共に、製造コストを低く抑えることのできる返信用封筒付き帳票を提供することを目的とする。
を提供するものである。
【課題を解決するための手段】
【００１３】
本発明の第一発明は、表裏一対の第一矩形状紙片および第二矩形状紙片が貼り合わされてなるものであって、第一矩形状紙片は、その裏面に所定の秘匿情報が記載される秘匿紙面を備えると共に、一側縁に平行な一又は複数の折り線と、該一側縁と該一側縁に直交する両側縁とに夫々接合代を介して形成された切断線と、秘匿紙面の接合代に設けられた接着剤層とを備え、第二矩形状紙片は、前記第一矩形状紙片の接合代と対向する部位に、該接合代の接着剤層と剥離可能に接着される剥離層を備え、前記第二矩形状紙片が除去された第一矩形状紙片を、その秘匿紙面を封緘するように折り畳むことによって、返信用封筒が形成されるものであることを特徴とする返信用封筒付き帳票である。
【００１４】
ここで、「第一矩形状紙片を、その秘匿紙面を封緘するように折り畳む」とは、秘匿紙面を内部に隠すようにして折り畳んで、接合代の接着剤層により貼り付けることを示す。また、折り線は、比較的容易に折り曲げることができる線条であり、切断線は、比較的容易に切断できる線条である。尚、本発明にかかる「帳票」としては、一般的な金銭の収支や物品の出入りを表記する用紙に限定されず、アンケート内容や注文内容等のような情報を表記するものも含む。
【００１５】
かかる構成の返信用封筒付き帳票にあっては、二枚の矩形状紙片が剥離可能に接着されたものであるから、一体物として取り扱うことができる。そして、片方の第一矩形状紙片に秘匿情報を記入して、折り畳んで接着剤層によって接着するだけで返信用封筒を形成できる。かかる構成によれば、受取人の作業のなかで、上述した必要事項記入用の用紙の選別作業（上記の手順１）と、該用紙を返信用の封筒に入れる作業（上記の手順３）とを完全に省略できる。さらに、返信用封筒を形成する封緘作業（上記の手順４に相当）についても、予め形成された折り線で折り畳むだけで、接着剤層により接着できることから、当該作業を容易かつ確実に行うことができる。すなわち、受取人は、秘匿紙面に秘匿情報（必要事項）を記入することと、第二矩形状紙片を除去することとを行った後に、第一矩形状紙片を折り畳むことによって、容易に返信用封筒を形成できる。そして、この返信用封筒は、秘匿紙面が封筒内部に隠れていることから、返送先で開封されるまで、該秘匿紙面に記載された秘匿情報の秘匿性を維持できる。したがって、本発明の構成によれば、受取人が返送するために要する作業を、簡略化できることから、該受取人の返送意欲が減退することを抑制でき、返信用封筒が返送される割合の向上が期待できる。
【００１６】
また、本発明の返信用封筒付き帳票は、第一矩形状紙片と第二矩形状紙片とが一体化されてなるものであり、第二矩形状紙片に、アンケート質問事項や説明事項、又は宣伝などを記載することができるため、上述したように書類束を同封する必要がない。そのため、同封作業を要せず、封入封緘機などを用いる必要もない。これにより、製造工程のコストを低減することができる。さらに、本構成は、二枚の第一矩形状紙片と第二矩形状紙片とを貼り合わせた比較的薄厚のシート状であることから、かさばらず、保管場所の省スペース化や、管理、配布または送付の効率化も図れる。尚、第一矩形状紙片と第二矩形状紙片とが三つの側縁に設けた接着剤層のみによって剥離可能に接着された構成では、袋状となることから、その中にチラシ等を入れて配布することも可能である。
【００１７】
こうした本発明の構成にあっては、第一矩形状紙片の、返信用封筒とした場合に外表面となる紙面（秘匿紙面の裏面）に、返信先（宛先）を予め印刷することが好適である。これにより、受取人は、返信用封筒の投函により容易に返送することができる。
【００１８】
上述した本発明の構成にあって、第二矩形状紙片は、剥離層が設けられた各側縁に夫々沿うように、切断線が形成されているものである構成が提案される。ここで、切断線は、各側縁から剥離層の形成部位を介して形成されている構成が好適であり、さらには、第一矩形状紙片の切断線と対向するように形成されている構成が好適である。そして、切断線は、比較的容易に切断できる線条である。
【００１９】
かかる構成にあっては、受取人が、第二矩形状紙片を切断線で切断することによって、第一矩形状紙片の接着剤層に接着した剥離層の形成部位を除いて第一矩形状紙片から除去できる。そして、この除去により秘匿紙面が露出することから、受取人は、該秘匿紙面に秘匿情報を記入することができると共に、該記入の際に、第一矩形状紙片の接着剤層が受取人の手や服に接着してしまうこともない。尚、秘匿情報の記入後に、剥離層の形成部位を接着剤層から剥離して除去し、封緘することによって、返信用封筒を形成できる。
【００２０】
上述した本発明の構成にあって、第一矩形状紙片および第二矩形状紙片が、ノーカーボン紙である構成が提案される。ここで、第二矩形状紙片を上用紙とし且つ第一矩形状紙片を下用紙とする組合せ、又は両者を中用紙とする組合せが好適である。
【００２１】
かかる構成にあっては、受取人が、第一矩形状紙片から第二矩形状紙片を除去する前に、該第二矩形状紙片の上から秘匿情報を記入することによって、該第一矩形状紙片の秘匿紙面に該秘匿情報が転写される。秘匿情報の記入後に、第二矩形状紙片を除去して返信用封筒を形成することができると共に、秘匿情報が記入された第二矩形状紙片を受取人が保管できる。すなわち、第二矩形状紙片が、所謂「お客様控え」となる。そのため、本構成は、入会申し込み書や商品購入申し込み書等に好適である。
【００２２】
上述した本発明の構成にあって、第一矩形状紙片の秘匿紙面の、接合代を除く領域と、第二矩形状紙片の剥離層を除く領域との少なくとも一方に、剥離可能な接着剤が塗布されている構成が提案される。ここで、接着剤が前記領域の全域に亘って塗布された構成と、前記領域の所定部分に塗布された構成とのいずれとすることもできる。
【００２３】
かかる構成にあっては、第一矩形状紙片と第二矩形状紙片とが接着剤により接着されることから、両者の一体性が高くなる。特に、接着剤を上記領域の全域に亘って塗布した場合には、両者間の間隙が生じない。本構成によれば、第一矩形状紙片と第二矩形状紙片とを貼り合わせた状態で印刷工程を実行する場合に、該印刷工程でシワや浮き等が生じることを抑制できるため、製造工程で歩留まりの改善が図れる。さらに、ＬＢＰ（Ｌａｓｅｒ  Ｂｅａｍ  Ｐｒｉｎｔｅｒ）適性が向上することから、該ＬＢＰにより美麗な印刷を施すことができる。
【００２４】
上述した発明の構成にあって、第一矩形状紙片は、表面または裏面の少なくとも一方に、返信用封筒の状態で秘匿情報を透視不能とする隠蔽層が形成されているものである構成が提案される。
【００２５】
かかる構成にあっては、返信用封筒の状態で、その外側から秘匿情報を透かし見られることを防止する効果が向上する。これは、隠蔽層によって秘匿紙面に記入された秘匿情報を遮蔽層に一層確実に隠蔽できることに因る。さらに、遮蔽層を設けた場合には、第一矩形状紙片に薄い紙材を用いても秘匿情報の隠蔽性を確保することができる。これによって材料費を低く抑えることができる。
【００２６】
一方、本発明の第二発明は、表裏一対の第一矩形状紙片および第二矩形状紙片が貼り合わされてなるものであって、第一矩形状紙片は、その裏面の全域に設けられた接着剤層と、一側縁に平行な一又は複数の折り線と、該一側縁と該一側縁に直交する両側縁とに夫々接合代を介して形成された切断線とを備え、第二矩形状紙片は、その裏面に所定の秘匿情報が記載される秘匿紙面を備えると共に、前記第一矩形状紙片の折り線と対向するように形成された一又は複数の折り線と、前記接合代と対向する被接合代を介して形成された切断線と、被接合代の表面に形成された、該接合代の接着剤層と剥離可能に接着される剥離層とを備え、前記被接合代が除去された第二矩形状紙片と第一矩形状紙片とを、該第二矩形状紙片の秘匿紙面を封緘するように折り畳むことによって、返信用封筒が形成されるものであることを特徴とする返信用封筒付き帳票である。
【００２７】
ここで、本第二発明は、上述の第一発明と同様の折り線や切断線を適用できる。また、「第二矩形状紙片と第一矩形状紙片とを、秘匿紙面を封緘するように折り畳む」とは、秘匿紙面を内部に隠すようにして折り畳んで、接合代の接着剤層により貼り付けることを示す。
【００２８】
かかる構成の返信用封筒付き帳票は、二枚の矩形状紙片が接着された一体物であって、第二矩形状紙片への秘匿情報の記入と被接合代の除去とを行った後に、折り畳んで接合代の接着剤層によって接着するだけで、返信用封筒を容易に形成できる。かかる構成によれば、上述した第一発明と同様に、受取人の作業のなかで、上述した必要事項記入用の用紙の選別作業（上記の手順１）と、該用紙を返信用の封筒に入れる作業（上記の手順３）とを完全に省略できる。さらに、返信用封筒を形成する封緘作業（上記の手順４に相当）についても、予め形成された折り線で折り畳むだけで接着剤層により接着できることから、当該作業を容易かつ確実に行うことができる。さらに、この返信用封筒は、返送先で開封されるまで、該秘匿紙面に記載された秘匿情報の秘匿性を維持できる。したがって、第二発明の構成によっても、上述した第一発明と同様、返送に要する受取人の作業を簡略化でき、返信用封筒の返送割合の向上が期待できる。
【００２９】
さらに、本第二発明では、返信用封筒の状態で、秘匿紙面の秘匿情報が第一矩形状紙片と第二矩形状紙片とによって二重に覆い隠されることから、外側から該秘匿情報を透かし見られることを防止する効果が極めて高い。このように高い秘匿性を発揮できることから、第一矩形状紙片と第二矩形状紙片との両方または一方に薄い紙材を用いても秘匿情報の隠蔽性を確保することができる。これによって材料費を低く抑えることができる。
【００３０】
また、本第二発明にあっても、上述の第一発明と同様、書類束の同封が必要なく、製造工程のコストを低減できると共に、保管場所の省スペース化や、管理、配布または送付の効率化も図れる。さらに、第一矩形状紙片の、返信用封筒とした場合に外表面となる紙面に、返信先（宛先）を予め印刷することが好適である。
【発明の効果】
【００３１】
本発明の第一発明の構成によれば、受取人は、秘匿情報を記入した第一矩形状紙片から第二矩形状紙片を除去し、該秘匿情報を記載した秘匿紙面を封緘するように、該第一矩形状紙片を折り畳むことによって返信用封筒を容易に形成できる。このように受取人の作業を簡略化でき、該受取人の負担を軽減できることから、受取人の返送意欲の減退を抑制でき、返信用封筒が返送される割合の向上が期待できる。また、上述した書類束を同封する従来構成に比して、同封作業を必要としないこと、管理や配布などの効率化が図れることから、製造コストや配布等のコストを抑制できる。
ここで、第二矩形状紙片に切断線が形成された構成にあっては、該切断線に沿って該第二矩形状紙片を切り取ることによって、第一矩形状紙片の秘匿紙面に秘匿情報を記入する際に、その接着剤層に手や服が接着してしまうことを防止できる。
一方、第一矩形状紙片および第二矩形状紙片がノーカーボン紙である構成にあっては、受取人が第二矩形状紙片の上から秘匿情報を記入することで該秘匿情報を秘匿紙面に転写できるため、該第二矩形状紙片を受取人が控えとして保管することができる。
【００３２】
また、本発明の第二発明に構成によれば、受取人は、秘匿情報を記入して第二矩形状紙片の被接合代を除去し、該秘匿情報を記載した秘匿紙面を封緘するように、該第二矩形状紙片と第一矩形状紙片とを一体的に折り畳むことによって返信用封筒を容易に形成できる。したがって、第二発明にあっても、上述した第一発明と同様、返信用封筒の返送割合の向上が期待できると共に、従来構成に比して、製造コストや配布などのコストを抑制できる。さらに、秘匿情報を、第一矩形状紙片と第二矩形状紙片とによって二重に隠蔽できることから、高い秘匿性を発揮できる。
【図面の簡単な説明】
【００３３】
【図１】実施例１の第一矩形状紙片１Ａの、（ａ）表面図と（ｂ）裏面図である。
【図２】実施例１の第二矩形状紙片２Ａの、（ａ）表面図と（ｂ）裏面図である。
【図３】実施例１の返信用封筒付き帳票５０Ａの使用手順を示す説明図である。
【図４】返信用封筒５１の、（ａ）正面図と（ｂ）背面図である。
【図５】実施例２の第一矩形状紙片１Ｂの、（ａ）表面図と（ｂ）裏面図である。
【図６】実施例２の第二矩形状紙片２Ｂの、（ａ）表面図と（ｂ）裏面図である。
【図７】実施例２の返信用封筒付き帳票５０Ｂの使用手順を示す説明図である。
【図８】実施例３の第一矩形状紙片１Ｃの、（ａ）表面図と（ｂ）裏面図である。
【図９】実施例３の第二矩形状紙片２Ｃの、（ａ）表面図と（ｂ）裏面図である。
【図１０】実施例３の返信用封筒付き帳票５０Ｃの使用手順を示す説明図である。
【図１１】実施例４の第一矩形状紙片１Ｄの、（ａ）表面図と（ｂ）裏面図である。
【図１２】実施例４の返信用封筒５２の形成手順を示す説明図である。
【図１３】実施例５の第一矩形状紙片１Ｅの、（ａ）表面図と（ｂ）裏面図である。
【図１４】実施例５の第二矩形状紙片２Ｅの、（ａ）表面図と（ｂ）裏面図である。
【図１５】実施例５の返信用封筒５３の形成手順を示す説明図である。
【発明を実施するための形態】
【００３４】
本発明にかかる実施形態（実施例１〜４）を添付図面に従って以下説明する。ここで、各実施例では、夫々返信用封筒付き帳票の状態で表裏方向を規定している。そのため、返信用封筒付き帳票は、第一矩形状紙片の裏面と第二矩形状紙片の表面とが張り合わされて構成される。そして、第一矩形状紙片の表面によって返信用封筒付き帳票の表面が構成され、第二矩形状紙片の裏面によって返信用封筒付き帳票の裏面が構成される。
【実施例１】
【００３５】
実施例１の返信用封筒付き帳票５０Ａを構成する第一矩形状紙片１Ａを図１に、該返信用封筒付き帳票５０Ａを構成する第二矩形状紙片２Ａを図２に示す。図３（ａ）のように、第一矩形状紙片１Ａと第二矩形状紙片２Ａとが張り合わされて返信用封筒付き帳票５０Ａをなす。本実施例１の返信用封筒付き帳票５０Ａは、街頭で配布されるアンケート用のものである。
【００３６】
上記の第一矩形状紙片１Ａには、図１のように、その一側縁である下縁５に平行な二つの折り線６，７が形成され、該折り線６，７を介して三つの紙片部１ｃ，１ｄ，１ｅに区画されている。ここで、上側の紙片部１ｃと中側の紙片部１ｄとは、夫々の上下方向高さ寸法が略同じであり、下側の紙片部１ｅの上下方向高さ寸法が中側の紙片部１ｄ以下である。また、前記下縁５と該下縁５に直交する左右の両側縁８，９とに所定の帯幅の接合代１０を介して、切断線１１が夫々形成されている。各切断線１１は、下縁５と両側縁８，９とに略平行に形成されており、紙厚さ方向に貫通している。さらに、接合代１０には、図１（ｂ）のように、その裏面に所定の接着剤（強粘着糊や弱粘糊など）が略均一に塗布されて、接着剤層１２が形成されている。
尚、前記折り線６，７は、該線で容易に折り曲げる（山折りや谷折り）ことができるように形成されたものであり、すじ状の凹線やミシン線等の一般的な構成が適用できる。また、前記切断線１１は、これに沿って容易に切断できるように形成されたものであり、ミシン線が好適であり、一般的な構成のミシン線を適用できる。
【００３７】
第一矩形状紙片１Ａの表面１ａには、図１（ａ）のように、中側の紙片部１ｄに返信用の宛先１３が印刷されている。さらに、返送費用が受取人にかからないように、料金返送先払の承認が受けられている。また、第一矩形状紙片１Ａの裏面１ｂには、図１（ｂ）のように、秘匿情報Ｘ（図３参照）が記入される回答欄などが印刷されており、該裏面１ｂによって本発明の秘匿紙面１ｂが構成されている。尚、この秘匿紙面１ｂには、アンケートの回答、その他の意見、受取人の氏名や住所などの秘匿情報Ｘを記入するための回答欄が印刷されている。
【００３８】
一方、上記の第二矩形状紙片２Ａは、上記の第一矩形状紙片１Ａと同じ寸法形状を成し、図２のように、その一側縁である下縁１５と左右の両側縁１６，１７と夫々平行な切断線１８が形成されている。各切断線１８は、紙厚さ方向に貫通するように形成されており、第一矩形状紙片１Ａと第二矩形状紙片２Ａとを重ね合わせた状態で、該第一矩形状紙片１Ａの切断線１１と表裏方向で重なる。そして、切断線１８の外側となる帯状部位によって被接合代２０が構成されている。この被接合代２０には、図２（ａ）のように、その表面に、第一矩形状紙片１Ａの接着剤層１２と剥離可能なシリコン剤が略均一に塗布されて、剥離層１４が形成されている。この剥離層１４は、第一矩形状紙片１Ａと第二矩形状紙片２Ａとを重ね合わせた状態で、該第一矩形状紙片１Ａの接着剤層１２と対向する。  尚、前記切断線１８は、上記の切断線１１と同様の構成を適用できる。
【００３９】
第二矩形状紙片２Ａの裏面２ｂには、図２（ｂ）のように、アンケート内容、所属、返送までの手順等が印刷されている。さらに、第二矩形状紙片２Ａの表面２ａには、図２（ａ）のように、被接合代２０を除く部分に、アンケートの回答に対する感謝を示す追加情報１９が記載されている。この追加情報１９は、受取人が第二矩形状紙片２Ａを切断線１８で切り取った場合に視認できる。
【００４０】
本実施例１の返信用封筒付き帳票５０Ａは、図３（ａ）のように、上記第一矩形状紙片１Ａの裏面（秘匿紙面）１ｂに第二矩形状紙片２Ａの表面２ａを重ね合わせて、接合代１０の接着剤層１２と被接合代２０の剥離層１４とを夫々剥離可能に接着することにより一体化されてなる。返信用封筒付き帳票５０Ａは、受取人が受け取るときには第一矩形状紙片１Ａの表面１ａと第二矩形状紙片２Ａの裏面２ｂとが表裏に露出した二層紙構造でる。尚、本実施例１の構成は、上述したように、第一矩形状紙片１Ａおよび第二矩形状紙片２Ａが夫々表裏に印刷されているものであることから、該第一矩形状紙片１Ａと第二矩形状紙片２Ａとを別々に両面印刷した後に、両者を貼り合わせることにより製造される。ここで、第一矩形状紙片１Ａおよび第二矩形状紙片２Ａともに、四六判で連量５５ｋｇの紙を用いている。
【００４１】
次に、返信用封筒付き帳票５０Ａの、受取人による使用態様を説明する。
返信用封筒付き帳票５０Ａを受け取った受取人は、図３（ａ）のように、第二矩形状紙片２Ａを切断線１８で切断することにより、第一矩形状紙片１Ａの接合代１０と接着されている被接合代２０を残して、該被接合代２０以外の部分を切り取る。こうして切り取った後には、図３（ｂ）のように、第一矩形状紙片１Ａの秘匿紙面１ｂが露出すると共に、その接合代１０の裏面に被接合代２０が保持された状態となる。また、被接合代２０を残して切り取られた第二矩形状紙片２Ａでは、その表面２ａが露出することから、該表面２ａに記載されている追加情報１９を受取人が視認できる。
【００４２】
図３（ｂ）のように、第一矩形状紙片１Ａの秘匿紙面１ｂが露出した状態で、受取人は、秘匿紙面１ｂに設けられた回答欄に、アンケートの回答や住所氏名等の秘匿情報Ｘを記入する。この記入の際には、第一矩形状紙片１Ａの接合代１０の接着剤層１２が被接合代２０により被覆されていることから、該接着剤層１２が受取人の手や服に接着しない。そのため、受取人は、秘匿情報Ｘの記入をスムーズに行うことができる。
【００４３】
上述のように秘匿紙面１ｂに秘匿情報Ｘを記入すると、図３（ｃ）のように、接合代１０から被接合代２０を剥がし、該接合代１０の接着剤層１２を露出させる。被接合代２０はその剥離層１４が接合代１０の接着剤層１２と剥離可能に接着されていることから、受取人は、該被接合代２０を接合代１０から容易に剥がすことができる。
【００４４】
その後、第一矩形状紙片１Ａを、秘匿紙面１ｂが内部に隠れるように、折り線６，７で折り畳む。すなわち、第一矩形状紙片１Ａを折り線６で谷折りして、図３（ｄ）のように、その上側の紙片部１ｃの裏面と中側の紙片部１ｄの裏面とが対向するように折り畳む。これにより、紙片部１ｃの左右の接着剤層と紙片部１ｄの左右の接着剤層とが重なって接着される。次に、折り線７で谷折りして、下側の紙片部１ｅの裏面と、紙片部１ｄに重ね合わされた紙片部１ｃの表面とが対向するように折り畳む。これにより、紙片部１ｃの表面に、紙片部１ｅの接着剤層が重なって接着される。このように第一矩形状紙片１Ａを折り畳むことによって、図４のように、秘匿紙面１ｂを内部に封緘した返信用封筒５１が形成される。この返信用封筒５１では、その正面に、図４（ａ）のように、紙片部１ｄの表面に印刷された返信用の宛先１３が露出すると共に、内部に隠れた秘匿情報Ｘを視認することができない。こうして形成された返信用封筒５１は、受取人が投函することによって、前記宛先１３に返送される。
【００４５】
上記の返信用封筒５１が返送されると、返送先では、該返信用封筒５１の上下両端側の切断線１１を切断して、該上下両端縁で接着された接合代を切り取る。さらに、裏側で上下に伸びる切断線１１を切断することにより、返信用封筒５１を開封することができる。こうして返送先では、受取人が記入した秘匿情報Ｘを得ることができる。
【００４６】
本実施例１の返信用封筒付き帳票５０Ａにあっては、第一矩形状紙片１Ａと第二矩形状紙片２Ａとを、接合代１０の接着剤層１２と被接合代２０の剥離層１４とを剥離可能に接着することによって一体化してなるものであるから、比較的容易に製造することができる。
そして、第一矩形状紙片１Ａが秘匿紙面１ｂを備え、さらに第二矩形状紙片２Ａの表裏には、秘匿情報Ｘに関する所望事項や宣伝などを印刷できることから、上述した従来構成のように書類束を同封する作業を要せずに、配布または送付できる状態となるため、該従来構成に比して、製造に要する時間とコストとを低減することが可能である。さらに、前記書類束のようにかさばることがないことから、保管場所を省スペース化でき、管理を効率化できると共に、街頭で配布する場合に持ち運び易く且つ配布し易いため、配布効率が良いという利点もある。
一方、返信用封筒付き帳票５０Ａは、秘匿紙面１ｂを備えた第一矩形状紙片１Ａを折り畳むことにより返信用封筒５１を容易に形成できることから、上述した従来構成のようにアンケート用紙を封筒に封入封緘するという面倒な作業が不要となる。これにより、返送に必要な受取人の負担を軽減でき、手軽に返送できることから、受取人の返送意欲の減退を抑制でき、返送される割合の向上が期待できる。そして、アンケート調査のような受取人にとってはあまり利益とならない場合にも、協力を得られ易い。
さらに、受取人は、第一矩形状紙片１Ａの接合代１０に被接合代２０が接着している状態で、該第一矩形状紙片１Ａの秘匿紙面１ｂに秘匿情報Ｘを記入できる。そのため、この記入の際に、接合代１０の接着剤層１２に受取人の手や服が接着してしまうことがなく、該記入をスムーズに行うことができる。
【００４７】
上述した実施例１にあっては、第一矩形状紙片１Ａと第二矩形状紙片２Ａとに別々に印刷を実施した後に貼り合わせるようにしたものであるが、両者を貼り合わせた後に、表裏の両面印刷を行うこともできる。これにより、返信用宛先を後で設定できるため、汎用性が向上する。すなわち、第一矩形状紙片１Ａの裏面と第二矩形状紙片２Ａの表面とに定型印刷して貼り合わせた状態のものを準備（製造）しておき、宛先等を後で印刷できる。
【００４８】
また、第一矩形状紙片１Ａは二本の折り線６，７を備えているが、折り線の数は、これに限定されず、秘匿紙面１ｂを封緘できれば、一本でも三本でも良い。さらにまた、実施例１の構成にあって、第二矩形状紙片２Ａに、第一矩形状紙片１Ａの折り線６，７に対向するように、折り線が形成されたものとしても良い。こうした第一矩形状紙片１Ａの折り線６，７と第二矩形状紙片の折り線とで折り畳み、この折り畳んだ状態で配布することができる。
【００４９】
また、切断線１８を容易に切断することができるように、第一矩形状紙片１Ａ又は第二矩形状紙片２Ａの所望箇所に切欠きを設けた構成とすることもできる。
【実施例２】
【００５０】
実施例２の返信用封筒付き帳票５０Ｂを構成する第一矩形状紙片１Ｂを図５に、第二矩形状紙片２Ｂを図６に示す。本実施例２の構成は、第一矩形状紙片１Ｂと第二矩形状紙片２Ｂとがノーカーボン紙からなるものである。そして、第一矩形状紙片１Ｂには下用紙が用いられ、第二矩形状紙片２Ｂには上用紙が用いられており、該第二矩形状紙片２Ｂの裏面２ｂに記入された文字や図柄は、第一矩形状紙片１Ｂの裏面（秘匿紙面）１ｂに転写される。  
【００５１】
尚、実施例２の構成にあっては、上述したように、第一矩形状紙片１Ｂと第二矩形状紙片２Ｂとをノーカーボン紙としたこと、および、後述するように第二矩形状紙片２Ｂに切断線を設けていないこと以外、上述した実施例１と同様の構成であり、同じ構成要素には同じ符号を記し、その説明を省略する。
【００５２】
第二矩形状紙片２Ｂの表面２ａには、図６（ａ）のように、第一矩形状紙片１Ｂの接合代１０に形成した接着剤層１２と対向する略コ字状の周縁部分を被接合代２０とし、該被接合代２０に、シリコン剤が略均一に塗布された剥離層１４が形成されている。そして、第二矩形状紙片２Ｂには、上述した実施例１と異なり、切断線を備えていない。
【００５３】
本実施例２の構成は、ダイレクトメールとして配布される商品購入申込書を備えたものである。そのため、図５（ｂ）のように、第一矩形状紙片１Ｂの秘匿紙面１ｂには、商品の購入数、金額、支払方法、受取人の住所氏名などの秘匿情報Ｘを記入する申し込み欄が印刷されている。そして、図５（ａ）のように、第一矩形状紙片１Ｂの表面１ａには、その紙片部１ｄに返信先の宛先１３が印刷されている。さらに、紙片部１ｃの表面には、所定の広告情報が印刷されている。一方、第二矩形状紙片２Ｂの裏面２ｂには、図６（ｂ）のように、前記第一矩形状紙片１Ｂの秘匿紙面１ｂに印刷された申し込み欄と重ね合わされる位置に、該申し込み欄と同様の記入欄２１が印刷されている。さらに、この裏面２ｂには、返送までの手順なども印刷されている。尚、第二矩形状紙片２Ｂの表面２ａには、何も印刷されていない。
【００５４】
こうした実施例２にあっても、上述した実施例１と同様、接合代１０の接着剤層１２と被接合代２０の剥離層１４とを剥離可能に接着して、第一矩形状紙片１Ｂと第二矩形状紙片２Ｂとを一体化した返信用封筒付き帳票５０Ｂが形成される。この返信用封筒付き帳票５０Ｂにあっても、第一矩形状紙片１Ｂと第二矩形状紙片２Ｂとに夫々印刷した後、両者を貼り合わせることにより容易に製造できる。
【００５５】
次に、実施例２の返信用封筒付き帳票５０Ｂの、受取人による使用態様を説明する。
返信用封筒付き帳票５０Ｂを受け取った受取人は、図７（ａ）のように、第二矩形状紙片２Ｂの裏面２ｂの記入欄２１に、申し込み事項や住所氏名等を記入する。こうして記入された申し込み事項や住所氏名等は、第一矩形状紙片１Ｂおよび第二矩形状紙片２Ｂがノーカーボン紙であることによって、該第一矩形状紙片１Ｂの秘匿紙面１ｂに転写される。これにより、秘匿紙面１ｂの申し込み欄に、前記申し込み事項や住所氏名等の秘匿情報Ｘが記入される。
【００５６】
この記入後に、受取人が、図７（ｂ）のように、第二矩形状紙片２Ｂと第一矩形状紙片１Ｂとを剥がし、両者を完全に分離させる。ここで、第一矩形状紙片１Ｂの秘匿紙面１ｂには、図７（ｃ）のように、秘匿情報Ｘが記入されている。こうして分離した第一矩形状紙片１Ｂを、受取人が、上述した実施例１と同様の手順（図３（ｄ）参照）で折り畳んで、秘匿紙面１ｂを封緘することにより、返信用封筒５１（図４参照）を得る。そして、この返信用封筒５１を投函して返送する。また、受取人の手元には、秘匿情報Ｘと同じ内容が記入された第二矩形状紙片２Ｂが、控えとして残ることから、これを保管できる。一方、返送先では、上述した実施例１と同様に開封し、秘匿情報Ｘを得ることができる。
【００５７】
本実施例２の返信用封筒付き帳票５０Ｂにあっては、第一矩形状紙片１Ｂと第二矩形状紙片２Ｂとをノーカーボン紙により形成したものであるから、該返信用封筒付き帳票５０Ｂの裏面である第二矩形状紙片２Ｂの裏面２ｂに、受取人が必要事項（申し込み事項や住所氏名）を記入すると、該必要事項が第一矩形状紙片１Ｂの秘匿紙面１ｂに転写される。この記入時には、第一矩形状紙片１Ｂと第二矩形状紙片２Ｂとが貼り合わされた状態であるため、第一矩形状紙片１Ｂの接着剤層１２が受取人の手や服に接着してしまうこともない。また、受取人の手元に、秘匿情報Ｘと同じ内容を記入した第二矩形状紙片２Ｂが「控え」として残ることから、申し込みの安全性を担保できる。
【００５８】
また、実施例２にあっても、上述した実施例１と同様に製造できることから、該実施例１と同様の製造時間やコストの低減という作用効果を奏する。さらに、従来の書類束に比して、配布または送付を効率的に行うことができる。さらにまた、第一矩形状紙片１Ｂを折り畳むことによって、返信用封筒５１を容易に形成できることから、実施例１と同様、受取人の負担を軽減でき、返送される割合の向上が期待できる。
【実施例３】
【００５９】
実施例３の返信用封筒付き帳票５０Ｃを構成する第一矩形状紙片１Ｃを図８に、第二矩形状紙片２Ｃを図９に示す。本実施例３の構成は、第二矩形状紙片２Ｃの表面２ａの、被接合代２０を除く紙面全域に、剥離可能な所定の接着剤が略均一に塗布された補助接着剤層２２が形成されている。この補助接着剤層２２を構成する接着剤は、受取人が該第一矩形状紙片１Ｃや該第二矩形状紙片２Ｃを破損することなく容易に剥離可能な程度の弱い接着能力を有するものである。
【００６０】
尚、実施例３の構成にあっては、上述したように、第二矩形状紙片２Ｃの表面２ａに補助接着剤層２２を形成したこと以外は、上述した実施例１と同様の構成であり、同じ構成要素には同じ符号を記し、その説明を省略する。
【００６１】
第二矩形状紙片２Ｃには、図９のように、切断線１８で切断することにより容易に剥離できるように、その上端部に切欠き２４が形成されている。受取人は、該切欠き２４を手掛かりとして、切断線１８を切断し易く、被接合代２０以外の部分のみを、第一矩形状紙片１Ｃから剥離させて容易に切り取ることができる。
【００６２】
本実施例３の構成は、上述した実施例１と同様、街頭で配布されるアンケート用のものである。そのため、図８のように、第一矩形状紙片１Ｃには、その表裏に、実施例１と同様の印刷がなされており、裏面が、アンケートの回答欄等を備えた秘匿紙面１ｂである。また、図９（ｂ）のように、第二矩形状紙片２Ｃには、その裏面２ｂに、ＬＢＰ（Ｌａｓｅｒ  Ｂｅａｍ  Ｐｒｉｎｔｅｒ）によって装飾印刷２３が施されている。尚、図９（ａ）のように、第二矩形状紙片２Ｃの表面２ａには、文字等が印刷されていない。
【００６３】
こうした実施例３にあっても、上述した実施例１と同様に接合代１０の接着剤層１２と剥離層１４とを剥離可能に接着し、且つ第二矩形状紙片２Ｃの補助接着剤層２２を第一矩形状紙片１Ｃの裏面１ｂに剥離可能に接着して、該第一矩形状紙片１Ｃと第二矩形状紙片２Ｃとを一体化した返信用封筒付き帳票５０Ｃが形成される。この返信用封筒付き帳票５０Ｃは、第一矩形状紙片１Ｃと第二矩形状紙片２Ｃとが紙面全域に亘って接着されてなる。こうした本実施例３の構成では、第一矩形状紙片１Ｃと第二矩形状紙片２Ｃとを貼り合わせた後に、該第二矩形状紙片２Ｃの裏面２ｂにＬＢＰによって装飾印刷２３が施される。このＬＢＰによる印刷の際に、第一矩形状紙片１Ｃと第二矩形状紙片２Ｃとが紙面全域で接着されていることから、シワや浮き等の不具合の発生を抑制でき、製造工程での歩留まりの改善が図れる。
【００６４】
次に、実施例３の返信用封筒付き帳票５０Ｃの、受取人による使用態様を説明する。
返信用封筒付き帳票５０Ｃを受け取った受取人は、図１０（ａ）のように、第二矩形状紙片２Ｃの切欠き２４から切断線１８で切断することにより、その被接合代２０以外の部分を切り取る。ここで、切欠き２４によって切断線１８の切断を容易に開始できると共に、第一矩形状紙片１Ｃに接着されている第二矩形状紙片２Ｃを容易に剥がすことができる。
【００６５】
こうして第二矩形状紙片２Ｃを切り取ると、図１０（ｂ）のように、第一矩形状紙片１Ｃの秘匿紙面１ｂが露出した状態となることから、受取人は、秘匿紙面１ｂの回答欄に、アンケートの回答や住所氏名等の秘匿情報Ｘを記入する。この記入の際に、上述した実施例１と同様、第一矩形状紙片１Ｃの接合代１０の接着剤層１２が被接合代２０により被覆されていることから、該接着剤層１２が受取人の手や服に接着しない。
【００６６】
上述のように秘匿紙面１ｂに秘匿情報Ｘを記入すると、図１０（ｃ）のように、接合代１０から被接合代２０を剥がし、該接合代１０の接着剤層１２を露出させる。被接合代２０はその剥離層１４が接合代１０の接着剤層１２と剥離可能に接着していることから、受取人は、該被接合代２０を接合代１０から容易に剥がすことができる。この後、受取人が、上述した実施例１と同様の手順（図３（ｄ）参照）で第一矩形状紙片１Ｃを折り畳んで、秘匿紙面１ｂを封緘することにより、返信用封筒５１を得る（図４参照）。そして、この返信用封筒５１を投函して返送する。一方、返送先では、上述した実施例１と同様に開封し、秘匿情報Ｘを得ることができる。
【００６７】
本実施例３の返信用封筒付き帳票５０Ｃにあっては、第一矩形状紙片１Ｃと第二矩形状紙片２Ｃとが紙面全域で接着されていることから、両者を貼り合わせた後は、受取人が剥がすまで完全に一体化した状態で保持される。そのため、受取人に届くまでに、両者が剥離してしまうような不具合の発生を抑止できる効果が高い。このように第一矩形状紙片１Ｃと第二矩形状紙片２Ｃとが接着されていることから、貼り合わせた後に印刷する場合にあっても、該印刷工程でシワや浮きが発生してしまうことを抑制できる。これにより、製造の際の歩留まりの改善を図ることができる。さらに、貼り合わせた状態ではＬＢＰ（Ｌａｓｅｒ  Ｂｅａｍ  Ｐｒｉｎｔｅｒ）適性が向上していることから、該ＬＢＰを用いて印刷することによって、外観の美麗な返送用封筒付き帳票を作製することができる。
【００６８】
また、実施例３にあっても、上述した実施例１と同様に製造できることから、該実施例１と同様の製造時間やコストの低減という作用効果を奏する。さらに、従来の書類束に比して、配布または送付を効率的に行うことができる。さらにまた、第一矩形状紙片１Ｃを折り畳むことによって、返信用封筒５１を容易に形成できることから、実施例１と同様、受取人の負担を軽減でき、返送される割合の向上が期待できる。また、実施例１と同様に、秘匿情報の記入時に、接着剤層１２が受取人の手や服に接着することもない。
【００６９】
尚、本実施例３の構成にあって、補助接着剤層が、第一矩形状紙片１Ｃの接合代１０を除く裏面全域に形成されるようにしても良い。この場合に、第二矩形状紙片２Ｃが、補助接着剤層２２が形を備える構成、該補助接着剤層２２を備えない構成のいずれであっても良い。ここで、第一矩形状紙片１Ｃの裏面１ｂに補助接着剤層が形成されると、受取人が秘匿情報を記入し難くなることも考えられることから、この場合には、上述した実施例２と同様にノーカーボン紙を用いる構成が好適である。
【実施例４】
【００７０】
実施例４の返信用封筒付き帳票５０Ｄを構成する第一矩形状紙片１Ｄを図１１に示す。尚、第二矩形状紙片２Ａは上述した実施例１と同じである（図２参照）。本実施例４の構成は、図１１（ｂ）のように、第一矩形状紙片１Ｄの裏面１ｂの全域に、地紋印刷による隠蔽層２５が形成されている。この地紋印刷によって、表面１ａ側からの透視を防止することができるため、図１２に示す返信用封筒５２の状態で、秘匿紙面１ｂに記入された秘匿情報Ｘが透視されることを防ぐ効果が高い。
【００７１】
尚、実施例４の構成にあっては、上述したように、第一矩形状紙片１Ｄの裏面１ｂ全域に遮蔽層２５を形成したこと以外は、上述した実施例１と同様の構成であり、同じ構成要素には同じ符号を記し、その説明を省略する。
【００７２】
本実施例４の構成は、上述した実施例１と同様、街頭で配布されるアンケート用のものであり、第一矩形状紙片１Ｄおよび第二矩形状紙片２Ａには、回答欄などが同様に印刷されている。そして、上述した実施例１と同様、接合代１０の接着剤層１２と剥離層１４とを剥離可能に接着することによって、第一矩形状紙片１Ｄと第二矩形状紙片２Ａとを一体化された返信用封筒付き帳票５０Ｄ（図１２（ａ）参照）が形成される。
【００７３】
こうした実施例４の返信用封筒付き帳票５０Ｄは、上述した実施例１と同様に、受取人により使用される。すなわち、受取人は、図１２（ａ）のように、第二矩形状紙片２Ａを切断線１８で切断して切り取り、露出した第一矩形状紙片１Ｄの秘匿紙面１ｂに秘匿情報Ｘを記入する（図３（ｂ）参照）。その後、被接合代２０を剥がし（図３（ｃ）参照）、図１２（ｂ）〜（ｄ）のように、第一矩形状紙片１Ｄを折り畳んで、返信用封筒５２を形成する。こうして形成された返信用封筒５２は、上記のように地紋印刷による隠蔽層２５が形成されていることから、外側から秘匿情報Ｘを透かし見ることができない。
【００７４】
本実施例４の返信用封筒付き帳票５０Ｄにあっては、返信用封筒５２の状態で、秘匿情報Ｘが外部から透視できないことから、該秘匿情報Ｘの秘匿性を保持する効果が高く、受取人は安心してアンケート等に回答することができる。また、本実施例４の構成は、四六判で連量４５ｋｇといった非常に薄い紙を用いても、隠蔽層２５によって外部から秘匿情報Ｘを透視されることを防ぐことができ、高い秘匿性を発揮する。そして、薄い紙を用いることから、材料費を削減でき、製造コストを低減することができる。
【００７５】
上述した実施例４の構成にあっては、地紋印刷による隠蔽層２５を備えた構成であるが、地紋印刷に限定されず、他の隠蔽層を形成することもできる。例えば、不透明な樹脂を塗布することによって、隠蔽層を形成するようにしても良い。
【００７６】
また、実施例４では、第一矩形状紙片１Ｄの裏面全域に隠蔽層２５を形成した構成であるが、その他の構成として、第一矩形状紙片１Ｄの表面に隠蔽層を形成した構成としても良い。この場合には、返信用の宛先１３を印刷する紙片部１ｄを除く、紙片部１ｃおよび紙片部１ｅの全域に隠蔽層を形成する構成が好適である。かかる構成にあっても、返信用封筒の状態で、紙片部１ｃ〜１ｄが重ね合わさっていることから、封緘された秘匿紙面に記入された秘匿情報Ｘが外部から透視されることを防ぐことができる。
【実施例５】
【００７７】
実施例５の返信用封筒付き帳票５０Ｅを構成する第一矩形状紙片１Ｅを図１３に、第二矩形状紙片２Ｅを図１４に示す。本実施例５の構成は、図１３（ｂ）のように、第一矩形状紙片１の裏面１ｂの紙面全域に、所定の接着剤（強粘着糊や弱粘糊など）が略均一に塗布されて、接着剤層３２が形成されている。一方、図１４（ｂ）のように、第二矩形状紙片２Ｅの、被接合代２０を除く秘匿紙片部３５には、その裏面２ｂ’に、秘匿情報Ｘ（図１５参照）が記入される回答欄などが印刷されており、該秘匿紙片部３５の裏面２ｂ’によって本発明の秘匿紙面２ｂ’が構成されている。尚、本実施例５の構成にあっては、上述した実施例１，３と同様、街頭で配布されるアンケート用のものであり、該アンケート用の質問や回答欄等が第二矩形状紙片２Ｅの裏面に印刷されている。また、第一矩形状紙片１Ｅの裏面および第二矩形状紙片２Ｅの表面には、文字や図柄等が印刷されていない。
【００７８】
また、第二矩形状紙片２Ｅは、第一矩形状紙片１Ｅの折り線６，７に対向するように、折り線３６，３７が形成されており、第一矩形状紙片１Ｅと第二矩形状紙片２Ｅとを重ね合わせた状態で、第一矩形状紙片１Ｅの折り線６と第二矩形状紙片２Ｅの折り線３６とが重なり合うと共に、第一矩形状紙片１Ｅの折り線７と第二矩形状紙片２Ｅの折り線３７とが重なり合う。尚、第二矩形状紙片２Ｅは、上述した実施例１と同様、その被接合代２０の表面にのみ、第一矩形状紙片１Ｅの接着剤層３２と剥離可能なシリコン剤が略均一に塗布されて、剥離層１４が形成されている。
【００７９】
こうした実施例５にあっては、第一矩形状紙片１Ｅの裏面全域の接着剤層３２と第二矩形状紙片２Ｅの表面２ａとを紙面全域に亘って接着し、該第一矩形状紙片１Ｅと第二矩形状紙片２Ｅとを一体化した返信用封筒付き帳票５０Ｅが形成される。この返信用封筒付き帳票５０Ｅは、第一矩形状紙片１Ｅの接合代１０の接着剤層３２と第二矩形状紙片２Ｅの被接合代２０の剥離層１４とが剥離可能に接着されると共に、第一矩形状紙片１Ｅの接合代１０を除く領域と第二矩形状紙片２Ｅの秘匿紙片部３５とが、接着剤層３２によって剥離不能に接着される。本実施例５の返信用封筒付き帳票５０Ｅは、第一矩形状紙片１Ｅと第二矩形状紙片２Ｅとを貼り合わせた後に、その表裏両面に夫々印刷を行うことによって容易に製造できる。又は、上述した実施例１と同様に、第一矩形状紙片１Ｅと第二矩形状紙片２Ｅとに夫々印刷した後、両者を貼り合わせることによっても容易に製造できる。
【００８０】
本実施例５の構成にあっては、上述したように、第一矩形状紙片１Ｅの裏面全域に接着剤層３２を形成すると共に、第二矩形状紙片２Ｅの裏面２ｂ’を秘匿紙面とし、該第二矩形状紙片２Ｅに折り線３６，３７を形成したこと以外は、上述した実施例１と同様の構成であり、同じ構成要素には同じ符号を記し、その説明を省略する。
【００８１】
次に、実施例５の返信用封筒付き帳票５０Ｅの、受取人による使用態様を説明する。
返信用封筒付き帳票５０Ｅを受け取った受取人は、図１５（ａ）のように、その裏面の秘匿紙面２ｂ’の回答欄に、アンケートの回答や住所氏名等の秘匿情報Ｘを記入する。この記入の際には、上述した実施例１と同様、第一矩形状紙片１Ｅの接合代１０の接着剤層３２が被接合代２０により被覆されていることから、該接着剤層３２が受取人の手や服に接着しない。
【００８２】
そして、秘匿情報Ｘを記入すると、第二矩形状紙片２Ｅの被接合代２０を切断線１８で切断しながら接合代１０から剥がし、該被接合代２０を除去することにより、図１５（ｂ）のように、第一矩形状紙片１Ｅの接合代１０のみで接着剤層３２を露出させる。ここで、被接合代２０はその剥離層１４が接合代１０の接着剤層３２と剥離可能に接着しており、さらに被接合代２０以外の秘匿紙片部３５が接着剤層３２と剥離不能に接着していることから、受取人は、該被接合代２０を比較的容易に切断線１８で切断して剥がすことができる。こうして被接合代２０を除去した状態では、該被接合代２０を除く秘匿紙片部３５（第二矩形状紙片２Ｅの残部）が第一矩形状紙片１Ｅと一体化しており、該秘匿紙片部３５の秘匿紙面２ｂ’が残っている。
【００８３】
この後、受取人が、第一矩形状紙片１Ｅと秘匿紙片部３５（第二矩形状紙片２Ｅ）とを、秘匿紙面２ｂ’が内部に隠れるように、表裏で重なり合った折り線６，３６で谷折りし、さらに表裏で重なり合った折り線７，３７で谷折りして折り畳む。すなわち、図１５（ｃ）のように折り線６，３６で谷折りすることによって、第一矩形状紙片１Ｅの紙片部１ｃの左右の接着剤層と紙片部１ｄの左右の接着剤層とが重なって接着される。次に、図１５（ｄ）のように折り線７，３７で谷折りすることによって、紙片部１ｅの接着剤層が紙片部１ｃの表面に接着される。こうして折り畳むことによって、秘匿紙面２ｂ’を内部に封緘した返信用封筒５３が形成される。そして、この返信用封筒５３を投函して返送する。一方、返送先では、上述した実施例１と同様に開封し、秘匿情報Ｘを得ることができる。
【００８４】
本実施例５の返信用封筒付き帳票５０Ｅにあっては、第一矩形状紙片１Ｅと第二矩形状紙片２Ｅとが紙面全域で接着され、第二矩形状紙片２Ｅの秘匿紙面２ｂ’を封緘するように折り畳んむことによって返信用封筒５３を形成するものであるから、該返信用封筒５３では、秘匿紙面２ｂ’の秘匿情報Ｘが、第一矩形状紙片１Ｅと秘匿紙片部３５（第二矩形状紙片２Ｅ）とによって二重に隠蔽される。これにより、秘匿紙面２ｂ’に記入された秘匿情報Ｘを外部から透視し難くなり、該秘匿情報Ｘの秘匿性を保持する効果が高い。そのため、受取人は安心してアンケート等に回答することができる。また、本実施例５の構成は、第一矩形状紙片１Ｅと第二矩形状紙片２Ｅとの両方またはいずれか一方に薄い紙を用いても、前記のように外部から秘匿情報Ｘを透視されることを防ぐことができる。こうした薄い紙を用いることによって材料費を削減できることから、前記の秘匿性を損なうことなく、製造コストを低減できる。尚ここで、薄い紙としては、上述した実施例４と同様に、四六判で連量４５ｋｇといった非常に薄い紙を用いることも可能である。
【００８５】
また、実施例５にあっても、上述した実施例１と同様、返信用封筒５３を容易に形成できることから、受取人の負担を軽減でき、返送割合の向上が期待できる。さらに、第一矩形状紙片１Ｅと第二矩形状紙片２Ｅとを紙面全体で接着することから、上述した実施例３と同様、貼り合わせた後に印刷する場合にあっても、該印刷工程でシワや浮きが発生してしまうことを抑制でき、製造の際の歩留まりの改善を図ることができる。
【００８６】
尚、実施例５の構成にあって、上述した実施例４と同様に、第一矩形状紙片１Ｅと第二矩形状紙片２Ｅとの両方または一方に、地紋印刷を施した構成とすることもできる。これにより、秘匿情報Ｘの秘匿性を一層向上することができる。また、第二矩形状紙片２Ｅの被接合代２０の上端部に、上述した実施例３と同様、切欠きを形成した構成とすることもできる。これにより、被接合代２０のみを一層剥がし易くなる。
【００８７】
本発明にあっては、上述した実施例１〜５に限定されるものではなく、上述の実施例以外の構成についても本発明の趣旨の範囲内で適宜変更して実施可能である。
【符号の説明】
【００８８】
１Ａ，１Ｂ，１Ｃ，１Ｄ，１Ｅ  第一矩形状紙片
２Ａ，２Ｂ，２Ｃ，２Ｅ  第二矩形状紙片
１ａ  表面（第一矩形状紙片）
１ｂ  秘匿紙面（実施例１〜４の第一矩形状紙片の裏面）
２ｂ’  秘匿紙面（実施例５の第二矩形状紙片の裏面）
５  下縁（一側縁）
６，７  折り線
８，９  側縁
１０  接合代
１１  切断線
１２  接着剤層
１４  剥離層
１８  切断線
２５  隠蔽層
３２  接着剤層
３６，３７  折り線
５０Ａ，５０Ｂ，５０Ｃ，５０Ｄ，５０Ｅ  返信用封筒付き帳票
５１，５２，５３  返信用封筒
Ｘ  秘匿情報
【図１】
2015136900.tif 000003
【図２】
2015136900.tif 000004
【図３】
2015136900.tif 000005
【図４】
2015136900.tif 000006
【図５】
2015136900.tif 000007
【図６】
2015136900.tif 000008
【図７】
2015136900.tif 000009
【図８】
2015136900.tif 000010
【図９】
2015136900.tif 000011
【図１０】
2015136900.tif 000012
【図１１】
2015136900.tif 000013
【図１２】
2015136900.tif 000014
【図１３】
2015136900.tif 000015
【図１４】
2015136900.tif 000016
【図１５】
2015136900.tif 000017